(57)【要約】【課題】突起部材の弾力性を向上させるとともに、運転停止時には突起部材が上方に突出しないようにして取扱性を良好にしたつぼ押し器及び同つぼ押し器を利用したマット装置を提供すること。【解決手段】本つぼ押し器は、突起部材を上面に取り付けた下エアーバッグと、この突起部材を上下動可能に挿入させる複数の孔を設けた上エアーバッグとからなり、下エアーバッグと上エアーバッグとを相反的に膨張収縮させ、下エアーバッグを膨張させたときに突起部材の先端部が上エアーバッグから突出し、上エアーバッグを膨張させたときには前記突出部材が上エアーバッグ内に収まるようにする。【選択図】        図６
2004195118.tif 000002
【特許請求の範囲】
【請求項１】
つぼを押圧する複数の突起部材と、突起部材を上面に支持する下エアーバッグと、突起部材を挿入可能とする複数の孔を備えた、下エアーバッグの上に載置される上エアーバッグと、下エアーバッグと上エアーバッグとを給排気する給排気回路と、下エアーバッグと上エアーバッグとを相反的に膨張収縮させるように給排気回路を操作又は制御するコントローラとを備え、下エアーバッグを膨張させたときに突起部材の先端部が上エアーバッグから突出し、上エアーバッグを膨張させたときには前記突出部材は上エアーバッグ内に収まるように形成されていることを特徴とするつぼ押し器。
【請求項２】
前記給排気回路及びコントローラは、運転停止の際に下エアーバッグを収縮状態とし、かつ上エアーバッグを膨張状態とするように構成されていることを特徴とする請求項１記載のつぼ押し器。
【請求項３】
前記給排気回路及びコントローラは、下エアーバッグの圧力を調節して突起部材による人体押圧力を調整できるように構成されていることを特徴とする請求項１記載のつぼ押し器。
【請求項４】
前記給排気回路及びコントローラは、下エアーバッグ及び上エアーバッグを所定周期で所定時間膨張収縮させるように構成されていることを特徴とする請求項１記載のつぼ押し器。
【請求項５】
前記給排気回路及びコントローラは、下エアーバッグ及び上エアーバッグを膨張収縮させる前記所定周期及び前記所定時間が使用者により選択できるように構成されていることを特徴とする請求項１記載のつぼ押し器。
【請求項６】
人体支持台としてのマット本体と、請求項１〜５記載のつぼ押し器とを有し、このつぼ押し器は、マット本体の上面部に収納され、かつ、前記下エアーバッグを膨張させたときに前記突起部材の先端部が上エアーバッグ及びマット本体の上面から突出するように形成されていることを特徴とするマット装置。
【請求項７】
下エアーバッグ及び上エアーバッグは、下エアーバッグを膨張させたとき或いは上エアーバッグを膨張させたときの何れにおいても上下エアーバッグの合計厚さが略一定となるように形成され、上エアーバッグの上面がマット本体の上面と略面一となるように形成されていることを特徴とする請求項６記載のマット装置。
【発明の詳細な説明】
【０００１】
【発明の属する技術分野】
本発明は、健康のために人体の所謂つぼを刺激して血行を促すためのつぼ押し器及びマット装置用の乾燥装置に関する。
【０００２】
【従来の技術】
従来、健康器具において人体のつぼを押圧するためのつぼ押し器は、一般的には、つぼを押圧するための突起部材が設けられ、この突起部材を人体のつぼに押し付けるように構成されている。また、これら突起部材は、固体物質より成り、かつ固定されているため押圧力を調整することができず、使用の方法によっては肌を痛めたり、刺激が強すぎて痛みを感じたりするなどの問題があった。
【０００３】
このような問題を解決するものとして、特許文献１に記載されたものが開発されている。このものは、突起部材の底部と底板との間にクッションゴムを配設して突起部材にクッション性を与えるようにしたもであった。
【０００４】
【特許文献１】
特開２０００−９３４８７号公報
【０００５】
【発明が解決しようとする課題】
ところが、このものでは、クッションゴムによりクッション性を持たせているが依然として弾力性に欠け、刺激が強すぎ快適なマッサージを行うことができないという問題があった。また、使用するときにはつぼ押し器を人体のつぼに押し当てる必要があり、使用終了時にはつぼ押し器を人体に当接し続けないように人体から必ず取り外す必要があり、取扱が不便であった。また、使用していないつぼ押し器が床上に放置されていた場合には、つぼ押し器を踏みつける場合があるが、このときには突起部材が突出しているため足の裏に過大な刺激を受けることがあり危険であった。
【０００６】
本発明はこのような従来技術の問題点に着目してなされたものである。その目的とするところは、突起部材の弾力性を向上させるとともに、運転停止時には突起部材が上方に突出しないようにして取扱性を良好にしたつぼ押し器及びこのつぼ押し器を利用したマット装置を提供することにある。
【０００７】
【課題を解決するための手段】
上記目的を達成するために、本発明に係るつぼ押し器は、つぼを押圧する複数の突起部材と、突起部材を上面に支持する下エアーバッグと、突起部材を挿入可能とする複数の孔を備えた、下エアーバッグの上に載置される上エアーバッグと、下エアーバッグと上エアーバッグとを給排気する給排気回路と、下エアーバッグと上エアーバッグとを相反的に膨張収縮させるように給排気回路を操作又は制御するコントローラとを備え、下エアーバッグを膨張させたときに突起部材の先端部が上エアーバッグから突出し、上エアーバッグを膨張させたときには前記突出部材は上エアーバッグ内に収まるように形成されていることを特徴とする。
【０００８】
このつぼ押し器は、コントローラを操作することにより下エアーバッグを膨張させ、かつ上エアーバッグを収縮させた状態とし、下エアーバッグの上面に支持する突起部材の先端部を上エアーバッグの上方に突出させた運転状態とすることができる。したがって、このつぼ押し器は、運転状態においては、膨張した下エアーバッグにより突起部材により支持されるので、突起部材による押圧力が弾力性に富んだものとなり、肌を傷つけることもなく快適なマッサージを行うことができる。
また、このつぼ押し器によれば、コントローラを操作することにより、下エアーバッグを収縮させ、かつ上エアーバッグを膨張させた状態とし、突起部材の先端部を上エアーバッグの上方に突出させない運転停止状態とすることができる。したがって、このつぼ押し器は、運転停止状態において人体に当接されたままとされても、人体に強い刺激を与えることがない。このように、このつぼ押し器は、コントローラの操作により運転又は運転停止に切り換えることができ、運転停止時に人体から引き離されなくても人体への刺激が停止されるので、取扱が良好となる。
また、このつぼ押し器は、運転停止中には突起部材が突出していないので、使用者が運転停止中のつぼ押し器を踏みつけても、使用者の足に過大な刺激を与えることがなく安全である。
【０００９】
また、前記給排気回路及びコントローラは、運転停止の際に、下エアーバッグを収縮状態とし、かつ上エアーバッグを膨張状態とするように構成されたものとしてもよい。
この構成によれば、つぼ押し器は運転停止の際に自動的に突起部材が上方に突出しない状態となるので、使用者はマッサージを受けながら安心して仮眠等することができる。
【００１０】
また、前記給排気回路及びコントローラは、下エアーバッグの圧力を調節して突起部材による人体押圧力を調整できるように構成されたものとしてもよい。
この構成によれば、使用者は、コントローラを操作することにより、マッサージ部位の状態に応じた適切な突起部材の押圧力を選定することができ、快適なマッサージを受けることができる。
【００１１】
また、前記給排気回路及びコントローラは、下エアーバッグ及び上エアーバッグを所定周期で所定時間膨張収縮させるように構成されたものとしてもよい。
この構成によれば、つぼ押し器は、従来のように単に押し付けているのでなく人体のつぼに対し押圧力を周期的に作用させることができるので、従来のつぼ押し器では得られない指圧マッサージ性能を発揮させることができる。
【００１２】
また、前記給排気回路及びコントローラは、下エアーバッグ及び上エアーバッグを膨張収縮させる前記所定周期及び前記所定時間が使用者により選択できるように構成されたものとしてもよい。
このように構成すれば、使用者は、マッサージ対象部位の状態に適応した運転モードを選択することができ、より一層効果的な指圧マッサージを受けることができる。
【００１３】
また、本発明に係るマット装置は、人体支持台としてのマット本体と、上述のつぼ押し器とを有し、このつぼ押し器は、前記下エアーバッグを膨張させたときにのみ前記突起部材が上エアーバッグ及びマット本体の上面から突出するようにマット本体の上面部に収納されていることを特徴とする。
このように構成すれば、使用者はマット本体上に寝転んだ状態でコントローラを操作することにより、つぼ押し器を作動又は停止させることができる。また、運転停止中において、つぼ押し器はマット本体内に収納されているので、邪魔になることがない。
【００１４】
また、このようなマット装置において、下エアーバッグ及び上エアーバッグを、下エアーバッグを膨張させたとき或いは上エアーバッグを膨張させたときの何れにおいても上下エアーバッグの合計厚さが略一定となるように形成し、上エアーバッグの上面がマット本体の上面と略面一となるように形成してもよい。
このように構成すれば、つぼ押し器の運転中、運転停止中の何れにおいてもエアーバッグの上面とマット本体の上面とが面一になるので、使用者がマット上面に寝転んでいるときに、良好な感触が得られる。
【００１５】
【発明の実施の形態】
以下、この発明をマット装置に具体化した実施の形態を図１〜図８に基づいて説明する。なお、図１は本発明の実施の形態に係るマット装置の使用中の側面図である。図２は同マット装置に用いられているつぼ押し器の断面図であって、組立て直前の状態で示した図である。図３は同つぼ押し器の斜視図である。図４は同つぼ押し器の断面図であって、下エアーバッグが収縮している状態図（運転停止中の状態図）である。図５は同つぼ押し器の断面図であって、下エアーバッグが膨張している状態図（運転中の状態図）である。図６は同マット装置の給排気回路図である。図７は同つぼ押し器の運転停止時におけるエアーバッグの給排状態を示すタイミングチャートである。図８は同つぼ押し器の運転時におけるエアーバッグの給排状態を示すタイミングチャートである。
【００１６】
本実施の形態に係るマット装置は、マット本体１、マット本体１上面部に収納されたつぼ押し器２、給排気回路３、コントローラ４などから構成されている（主として図１及び図６参照）。なお、図１において、５は同マット装置上に載置された枕であり、６はマット本体１上に横たわった使用者（人体）を示す。
【００１７】
マット本体１は、人体支持台として平面視長方形状でかつ肉厚に形成されている。また、マット本体１は、例えば通気性を有する発泡ウレタンフォームなどからなる軟質部材により構成されている。また、同マット本体１には、人体６の腰部あたりにつぼ押し器２を押し当てることができるような位置に、つぼ押し器２を収納する窪み１１が形成されている。
【００１８】
つぼ押し器２は、平面形状が長方形の下エアーバッグ２１と平面形状が略同一長方形の上エアーバッグ２２とからなり、何れか一方が膨張している状態で両エアーバッグ２１、２２を合わせた厚み方向の寸法が、前記窪み部１１の深さと略同一となるように構成されている。そして、つぼ押し器２は、上エアーバッグ２２が上方となり、下エアーバッグ２１が下方となるように前記窪み１１に収納されている。
【００１９】
また、下エアーバッグ２１の上面には樹脂で形成された突起部材２３が４本取り付けられている。突起部材２３の先端部は凸曲面とするのがよい。一例では略半球形であるが、半球よりやや尖らせた回転楕円体の半分の球形でもよい。また、突起部材２３は、高さが上エアーバッグ２２の膨張時における厚み寸法よりも短く形成されている。
【００２０】
一方、上エアーバッグ２２には、前述の突起部材２３を挿入し得る４個の孔２４が形成されている。この孔２４の内径と突起部材２３の外径の関係は、突起部材２３が円滑に上下動可能な隙間が確保される程度が良い。
【００２１】
つぼ押し器２は、このように構成されていることにより、下エアーバッグ２１を膨張させるとともに上エアーバッグ２２を収縮させた状態として突起部材２３を上エアーバッグ２２の上方に突出させることができる。これがつぼ押し器２の運転状態である。また、つぼ押し器２は、下エアーバッグ２１を収縮させるとともに上エアーバッグ２２を膨張させた状態として突起部材２３を上エアーバッグ２２内に収めることができる。これがつぼ押し器２の運転停止状態である。
【００２２】
給排気回路３は、下エアーバッグ２１及び上エアーバッグ２２に対しエアーを給気し、また、下エアーバッグ２１及び上エアーバッグ２２のエアーを排気するものである。すなわち、給排気回路３は、エアーポンプ３１、エアーポンプ３１から吐出されたエアーを供給する給気管３２、給気管３２中に設けられた給排気用電磁弁（この場合三方電磁弁）３３、３４などから構成されている。
【００２３】
三方電磁弁３３、３４は、エアーポンプ３１を上下エアーバッグ２１、２２に連通する導通位置（図６における実線位置）と、上下エアーバッグ２１、２２を外部に連通して排気を可能とする開放位置（図６における点線位置）との間で切換可能とされている。したがって、三方電磁弁３３、３４は、導通位置に切り換えられたときに、エアーポンプ３１から吐出される圧縮エアーを上下エアーバッグ２１、２２に供給することができ、開放位置に切り換えられたときに、上下エアーバッグ２１、２２内のエアーを外気に導くことができる。
【００２４】
コントローラ４は、下エアーバッグ２１及び上エアーバッグ２２の膨張収縮を操作し制御するためのもので、始動スイッチ４１、突起部材２３の弾力性能を強弱に切り換える強弱切換スイッチ４２、タイマー４３、モード選択スイッチ４４、制御回路（図示せず）、下エアーバッグ２１内のエアー圧力を検出する圧力検出器４５などを備えている。
【００２５】
始動スイッチ４１は、使用開始当初にＯＮすると、エアーポンプ３１及び三方電磁弁３３、３４が駆動されて下エアーバッグ２１を収縮し、かつ上エアーバッグ２２を膨張させた運転準備段階に相当する状態とするものである。
【００２６】
タイマー４３は、運転時間を設定するものである。また、このタイマー４３によりマッサージ運転時間が設定されると、マッサージ運転が行われる。なお、マッサージ運転中、圧力検出器４５が検出する下エアーバッグ２１内のエアーの圧力が設定圧力に達すると、エアーポンプ３１が停止するようにコントローラ４の構成部材である制御回路により制御される。また、タイマー４３で設定された運転時間が終了すると、下エアーバッグ２１を収縮させ、上エアーバッグ２２を膨張させた状態（運転停止状態、図４参照）とするように三方電磁弁３３、３４を制御し、このように三方電磁弁３３、３４を制御した後にエアーポンプ３１が自動的に停止される。
【００２７】
強弱切換スイッチ４２は、下エアーバッグ２１内の設定圧力を強弱に変更するものである。例えば、この強弱切換スイッチ４２により強が選択されると、突起部材２３を支持する下エアーバッグ２１内のエアーの設定圧力を高くし、突起部材２３を強く押し当てることができ、人体６に強い刺激を与えることができる。
【００２８】
モード選択スイッチ４４は、下エアーバッグ２１及び上エアーバッグ２２の膨張収縮の周期を選択するものである。運転モードはこの種機械においては適宜設定される。
【００２９】
以上のように構成されたマット装置は、次のように使用される。
使用者６は図１に記載のようにマット本体１の上に仰向けに横たわることができる。なお、つぼ押し器２は使用開始する前（例えば、製品購入時）の状態は、上下エアーバッグ２１、２２が収縮された状態になっている（図７参照）。
次に、つぼ押し器２の使用を始めるときは、ます、始動スイッチ４１をＯＮする。始動スイッチ４１をＯＮすることにより、三方電磁弁３３を開放位置とし、三方電磁弁３４を導通位置とすることができる。これにより、図１におけるつぼ押し器２における下エアーバッグ２１及び上エアーバッグ２２が図７のように給排気され、図４のような状態となる。なお、この状態は運転停止時と同一の状態である。
【００３０】
そして、腰部をマッサージしたいときは、コントローラ４のタイマー４３を操作して運転時間を設定する。なお、このタイマー４３の操作は、マット本体１の上に仰向けに横たわったまま行ってもよい。また、タイマー４３の操作により、つぼ押し器２を運転させることができる。
【００３１】
また、モード選択スイッチ４４によりつぼ押し器２の運転モードを選択する.図８は、この運転状態における下エアーバッグ２１及び上エアーバッグ２２の給排気モードのパターン例を示す。この例では、三方電磁弁３３を一定周期Ｔ1で開閉する。この場合の導通位置とする時間をＴ2、開放位置とする時間をＴ3とする。また、これにより三方電磁弁３４が上記三方電磁弁３３とは相反的に開閉される。下エアーバッグ２１は、三方電磁弁３３が導通位置のときに膨張し、三方電磁弁３３が開放位置のときに収縮する。また、上エアーバッグ２２は、三方電磁弁３４が導通位置のときに膨張し、三方電磁弁３４が開放位置のときに収縮する。したがって、下エアーバッグ２１は、図７に示すように、一定周期Ｔ1でＴ2時間膨張し、Ｔ3時間収縮する。一方上エアーバッグ２２は、この下エアーバッグ２１と相反的に一定周期Ｔ1でＴ3時間膨張し、Ｔ2時間収縮する。
このようにして、モード選択スイッチ４４によりつぼ押し器２の運転モード、すなわち、突起部材２３による人体６のマッサージモードが選定されると、上述の下エアーバッグ２１及び上エアーバッグ２２の膨張収縮周期Ｔ1及び膨張収縮時間Ｔ2、Ｔ3が予めパターン化されたモードに設定される。
【００３２】
なお、強弱切換スイッチ４２の切換により、突起部材２３による人体６への刺激を強弱何れかに選択することができる。すなわち、強弱切換スイッチ４２を強に切り換えられたときは、圧力検出器４５により検出される圧力が設定強圧力になるまでエアーポンプ３１が運転される。これにより下エアーバッグ２１による突起部材２３の支持圧力が高くなり、突起部材２３による刺激が強くなる。また、強弱切換スイッチ４２が強から弱に切り換えられたときは、三方電磁弁３３が短時間開放位置に切り換えて、一旦下エアーバッグ２１の圧力を低下させる。次いで、三方電磁弁３３を導通位置に切り換えて、下エアーバッグ２１の圧力が弱設定圧力になるまでエアーポンプ３１を運転する。このように制御されることにより下エアーバッグ２１による突起部材２３の支持圧力が低くなり、突起部材２３による刺激が弱くなる。
【００３３】
そして、タイマー４３により設定された運転時間が経過した時点で運転が停止される。このときつぼ押し器２は前述の運転停止状態（図９参照）となる。この運転停止状態では、突起部材２３がマット本体１の上面から上方に突出していないので、使用者６は通常のマットと同様の感覚で横たわることができ、そのまま睡眠しても何ら人体６に異常をきたす恐れがない。
【００３４】
本実施の形態に係るつぼ押し器及びマット装置は、以上のように構成されているので、次のような効果を奏することができる。
（１）  この実施の形態に係るつぼ押し器２によれば、コントローラ４を操作することにより、下エアーバッグ２１を膨張させ、かつ上エアーバッグ２２を収縮させた状態とし、下エアーバッグ２１の上面に支持する突起部材２３の先端部を上エアーバッグ２２の上方に突出させた運転状態とすることができる。したがって、このつぼ押し器２は、運転状態においては、膨張した下エアーバッグ２１により突起部材２３が支持されるので、突起部材２３による押圧力が弾力性に富んだものとなり、肌を傷つけることもなく快適なマッサージを行うことができる。
また、このつぼ押し器２によれば、コントローラ４を操作することにより、下エアーバッグ２１を収縮させ、かつ上エアーバッグ２２を膨張させた状態とし、突起部材２３の先端部を上エアーバッグ２２の上方に突出させない運転停止状態とすることができる。したがって、このつぼ押し器２は、運転停止状態において人体６に当接されたままとされても、人体６に強い刺激を与えることがない。このように、このつぼ押し器２は、コントローラ４の操作により運転又は運転停止に切り換えることができ、運転停止時に人体６から引き離されなくても人体への刺激が停止されるので、取扱性が良好となる。
また、つぼ押し器２は、運転停止時には突起部材２が突出していないので、使用者６が運転停止中のつぼ押し器２を踏みつけても、使用者６の足に過大な刺激を与えることがなく安全である。
【００３５】
（２）  また、給排気回路３及びコントローラ４は、運転停止の際に、下エアーバッグ２１を収縮状態とし、かつ上エアーバッグ２２を膨張状態とするように構成されているので、つぼ押し器２は、運転停止の際に自動的に突起部材２３が上方に突出しない状態（運転停止状態）となる。したがって、使用者６はマッサージを受けながら安心して仮眠等することができる。
【００３６】
（３）  また、給排気回路３及びコントローラ４は、下エアーバッグ２１の圧力を調節して突起部材２３による人体押圧力を調整できるように構成されているので、使用者６は、マッサージ部位の状態に応じた適切な突起部材２３の押圧力を選定することができ、快適なマッサージを得ることができる。
【００３７】
（４）  また、給排気回路３及びコントローラ４は、下エアーバッグ２１及び上エアーバッグ２２を所定周期で所定時間膨張収縮させるように構成されているので、つぼ押し器２は、人体６のつぼに対し押圧力を周期的に作用させることができ、従来のつぼ押し器では得られない指圧マッサージ性能を発揮させることができる。
【００３８】
（５）  この場合において、給排気回路３及びコントローラ４は、下エアーバッグ２１及び上エアーバッグ２２を膨張収縮させる所定周期Ｔ1及び所定時間Ｔ2、Ｔ3を使用者６により選択できるように構成されているので、使用者６は、マッサージ対象部位の状態に適応した運転モードを選択することができ、より一層効果的な指圧マッサージを受けることができる。
【００３９】
（６）  また、この実施の形態に係るマット装置によれば、つぼ押し器２がマット本体１の上面部に収納され、下エアーバッグ２１を膨張させたときに突起部材２３が上エアーバッグ２２及びマット本体１の上面から突出するようにマット本体１の上面部に収納されているので、使用者６は、マット本体１の上に寝転んだ状態でコントローラ４を操作し、つぼ押し器２を作動又は停止させることができる。また、つぼ押し器２の運転停止中においては、つぼ押し器２はマット本体内に収納されているので、邪魔になることがない。
【００４０】
（７）  また、このマット装置では、下エアーバッグ２１を膨張させたとき或いは上エアーバッグ２２を膨張させたときの何れにおいても上下エアーバッグ２１、２２の合計厚さが略一定となるように形成され、上エアーバッグ２２の上面がマット本体１の上面と略面一となるように形成されているので、つぼ押し器２の運転中、運転停止中の何れにおいて、使用者６がマット本体１の上に寝転んでいるときに良好な感触が得られる。
【００４１】
なお、この発明は次のように変更して具体化することができる。
（１）  下エアーバッグ２１に設けられる突起部材２３及び突起部材２３を挿入させて上下動させる孔２４は、上記実施の形態においてはそれぞれ４個として形成されているが、特にこの数に限定されるものではない。
【００４２】
（２）  また、つぼ押し器２は、上記実施の形態においては腰用として形成されているが、マッサージ対象部位としては脚の脹脛、足の裏など他の部位を対象とするように形成してもよい。
【００４３】
（３）  また、上記実施の形態においては腰マッサージ用のつぼ押し器２を取り付けているが、本発明に係るマット装置は、脹脛マッサージ用のつぼ押し器を取り付けるようにしてよい、また、腰マッサージ用と脹脛マッサージ用の双方を取り付けるようにしてもよい。また、本発明に係るマット装置は、取り付けるつぼ押し器２を１個に限ったものではないし、他のマッサージ部位を対象とするもの１個を取り付けるようにしたものでもよい。
【００４４】
【発明の効果】
この発明に係るつぼ押し器によれば、運転中は下エアーバッグにより突起部材を支持しているので、突起部材による押圧力が弾力性に富んだものとなり、肌を傷つけることもなく快適なマッサージを得ることができる。また、コントローラの操作により運転又は運転停止に切り換えることができ取扱が良好となる。また、つぼ押し器は、運転停止中には突起部材が突出していないので、使用者がこの運転停止中のつぼ押し器を踏みつけても、使用者の足の裏に過大な刺激を与えることがなく安全である。
【図面の簡単な説明】
【図１】本発明の実施の形態に係るマット装置の使用中の側面図である。
【図２】同マット装置に用いられているつぼ押し器の断面図であって、組み立て直前の状態で示した図である。
【図３】同つぼ押し器の斜視図である。
【図４】同つぼ押し器の断面図であって、下エアーバッグが収縮している状態図である。
【図５】同つぼ押し器の断面図であって、下エアーバッグが膨張している状態図である。
【図６】同マット装置の給排気回路図である。
【図７】同つぼ押し器の使用開始時及び運転停止時における上下エアーバッグの給排状態を示すタイミングチャートである。
【図８】同つぼ押し器の運転時における上下エアーバッグの給排状態を示すタイミングチャートである。
【符号の説明】
１     マット本体
２     つぼ押し器
３     給排気回路
４     コントローラ
６     （使用者）人体
１１   窪み部
２１   下エアーバッグ
２２   上エアーバッグ
２３   突起部材
２４   孔
Ｔ1    所定周期
Ｔ2    所定時間
Ｔ3    所定時間
【図１】
2004195118.tif 000003
【図２】
2004195118.tif 000004
【図３】
2004195118.tif 000005
【図４】
2004195118.tif 000006
【図５】
2004195118.tif 000007
【図６】
2004195118.tif 000008
【図７】
2004195118.tif 000009
【図８】
2004195118.tif 000010